(57)【要約】【課題】  多数積み重ねても蓋同士が嵌り込まない包装用容器蓋、それを用いた包装用容器及び食品包装体の提供。【解決手段】  包装用容器に被せた時に天面部２が包装用容器の開口上端よりも低い位置になる構造の蓋であって、天面部の周縁から立設された立上部４と、立上部の先端から径方向外側に向けて水平に延出された水平部５と、水平部の先端から下方向に向けて延出された垂下部６と、垂下部の先端から径方向外方に向けて延出されたフランジ部７とからなる断面逆Ｕ字状の凸状部３が天面部周縁に設けられ、垂下部の周方向複数箇所に、径方向内側に突出した係止部９が設けられ、立上部の周方向複数箇所に、径方向外側に突出した止め突起８が設けられ、係止部と前記止め突起とが互いに対面しない位置に配置され、係止部と止め突起が天面部よりも上方側の同じ高さに設けられている蓋１。【選択図】  図１
2006160349.tif 000002
【特許請求の範囲】
【請求項１】
包装用容器に被せた時に天面部が包装用容器の開口上端よりも低い位置になる構造の包装用容器蓋であって、
天面部の周縁から立設された立上部と、該立上部の先端から径方向外側に向けて水平に延出された水平部と、該水平部の先端から下方向に向けて延出された垂下部と、該垂下部の先端から径方向外方に向けて延出されたフランジ部とからなる断面逆Ｕ字状の凸状部が天面部周縁に設けられ、前記垂下部の周方向複数箇所に、径方向内側に突出した係止部が設けられ、前記立上部の周方向複数箇所に、径方向外側に突出した止め突起が設けられ、前記係止部と前記止め突起とが互いに対面しない位置に配置され、かつ前記係止部と前記止め突起が前記天面部よりも上方側の同じ高さに設けられていることを特徴とする包装用容器蓋。
【請求項２】
前記水平部の内肩部と外肩部がそれぞれテーパー状に形成され、前記係止部と前記止め突起のそれぞれの下面側がそれぞれテーパー状に形成され、前記包装用容器蓋を複数個積み重ねた時に、前記止め突起のテーパー面が前記内肩部のテーパー面に、前記係止部のテーパー面が前記外肩部のテーパー面に面接触するように構成したことを特徴とする請求項１に記載の包装用容器蓋。
【請求項３】
底部とその周縁から立設された側壁部と該側壁部の先端に設けられたフランジ又は嵌合部とを備えた容器本体と、該容器本体の開口を塞いで装着される請求項１又は２に記載された包装用容器蓋とからなることを特徴とする包装用容器。
【請求項４】
請求項３に記載の包装用容器内に食品が収容されてなることを特徴とする食品包装体。
【発明の詳細な説明】
【技術分野】
【０００１】
本発明は、刻み葱、サラダ、菓子類などの各種の食品を収容する包装用容器に被せて容器開口を塞ぐ包装用容器蓋に関し、特に包装用容器に被せた時に蓋の天面部が容器の開口上端より低くなり、持ち運び時に刻み葱などの収容した食品が容器内で踊らないように押さえ込む事と、陳列時に高く積み重ねることを目的として、高さを低くしてある包装用容器蓋、及び容器本体に前記包装用容器蓋を被せた包装容器、並びに該包装用容器内に食品を収容した食品包装体に関する。
【背景技術】
【０００２】
従来、サラダや菓子類などの食品を収容する比較的小型の包装用容器として、合成樹脂製の容器本体とその開口に被せられた周縁に断面逆Ｕ字状の凸条部を有する合成樹脂製の包装用容器蓋とからなる包装用容器が用いられている。
この包装用容器内に食品を充填し、包装用容器蓋を被せて包装し、食品包装体を製造する場合、包装用容器蓋は多数積み重ねた状態で製造ラインに供給され、上方から一個ずつバキューム装置等で吸着して搬送し、食品を収容した容器本体の開口に被せて押圧し、凸条部内に容器本体のフランジを嵌合させて容器本体に装着している。この種の包装用容器蓋は、多数積み重ねた状態でも互いに嵌り合うことがなく、上方又は下方側から個々の包装用容器蓋をスムーズに供給できることが要求されている。
一方、従来の包装用容器蓋は、多数積み重ねた時に上下の凸条部同士が嵌り込み易く、積み重ねた包装用容器蓋を分離して使用する作業が阻害されることがあった。また水平方向の位置決めが不十分になり易く、高く重ねる時に傾く恐れがあった。
【０００３】
積み重ねられた蓋を上方から一個ずつ正確に吸着、搬送できる蓋として、例えば、特許文献１に開示された包装用容器蓋が提案されている。この包装用容器蓋は、天井板の外周縁に断面逆Ｕ形の中空立上がり縁の上部幅をそれに続く下部幅よりも小さくなるように形成すると共に該中空立上がり縁の内周面の上部と下部との境界線上に段部を設け、かつ中空立上がり縁の外周面にリング凹条を設けた構成になっている。
【特許文献１】特開平１０−１２０００５号公報
【発明の開示】
【発明が解決しようとする課題】
【０００４】
しかしながら、特許文献１に記載された包装用容器蓋は、多数の蓋を積み重ねた時に、逆Ｕ字状の中空立上がり縁の上下が線状で当接して蓋を支承するので、積み重ねた時に局部的に荷重が加わると、上下の蓋の中空立上がり縁同士が嵌り込む恐れがあり、その結果、多数積み重ねた状態から一個ずつバキューム装置等で吸着できなくなったり、積み重ね状態で垂直にならず、倒れやすい等の問題を生じる可能性がある。
【０００５】
本発明は前記事情に鑑みてなされ、多数積み重ねても蓋同士が嵌り込まない包装用容器蓋、それを用いた包装用容器及び食品包装体の提供を目的とする。
【課題を解決するための手段】
【０００６】
前記目的を達成するため、本発明は、包装用容器に被せた時に天面部が包装用容器の開口上端よりも低い位置になる構造の包装用容器蓋であって、天面部の周縁から立設された立上部と、該立上部の先端から径方向外側に向けて水平に延出された水平部と、該水平部の先端から下方向に向けて延出された垂下部と、該垂下部の先端から径方向外方に向けて延出されたフランジ部とからなる断面逆Ｕ字状の凸状部が天面部周縁に設けられ、前記垂下部の周方向複数箇所に、径方向内側に突出した係止部が設けられ、前記立上部の周方向複数箇所に、径方向外側に突出した止め突起が設けられ、前記係止部と前記止め突起とが互いに対面しない位置に配置され、かつ前記係止部と前記止め突起が前記天面部よりも上方側の同じ高さに設けられていることを特徴とする包装用容器蓋を提供する。
【０００７】
本発明の包装用容器蓋において、前記水平部の内肩部と外肩部がそれぞれテーパー状に形成され、前記係止部と前記止め突起のそれぞれの下面側がそれぞれテーパー状に形成され、前記包装用容器蓋を複数個積み重ねた時に、前記止め突起のテーパー面が前記内肩部のテーパー面に、前記係止部のテーパー面が前記外肩部のテーパー面に面接触する構成とすることが好ましい。
【０００８】
また本発明は、底部とその周縁から立設された側壁部と該側壁部の先端に設けられたフランジ又は嵌合部とを備えた容器本体と、該容器本体の開口を塞いで装着される前述した本発明に係る包装用容器蓋とからなることを特徴とする包装用容器を提供する。
【０００９】
また本発明は、前述した本発明に係る包装用容器内に食品が収容されてなることを特徴とする食品包装体を提供する。
【発明の効果】
【００１０】
本発明の包装用容器蓋は、垂下部の周方向複数箇所に、径方向内側に突出した係止部を設け、立上部の周方向複数箇所に、径方向外側に突出した止め突起を設け、係止部と止め突起とを互いに対面しない位置に配置し、係止部と止め突起を天面部よりも上方側の同じ高さに設けた構成としたので、多数の包装用容器蓋を積み重ねた時に、止め突起と係止部が下側の包装用容器蓋の水平部に当接して支承するので、積み重ね状態での安定性が向上し、積み重ね高さを高くしても傾かず、倒れにくくなる。
【００１１】
また、前記構成としたことで、多数の包装用容器蓋を積み重ねて上からの荷重が加わっても、凸条部が下側の包装用容器蓋の凸条部に嵌り込み難くなり、多数の包装用容器蓋を積み重ねても、上方からの吸引によって一個ずつ確実に吸着して使用でき、食品包装体の製造において蓋の供給不良等のトラブルを減らすことができる。
【００１２】
また、アンダーカットとなる止め突起と係止部が対面しない配置としたので、包装用容器蓋の成形時に型抜きが容易となり、生産し易いものとなる。なお、止め突起を全周に亘って連続して設けると、型抜きが困難となり作業性が悪化する。
【００１３】
また、係止部と止め突起を天面部よりも上方側の同じ高さに設けた構成としたので、特許文献１に記載の蓋のように凸条部の高さを過剰に高くしなくても、凸条部の嵌り込み防止を達成できるので、背の低い包装用容器蓋を作製でき、使用樹脂の削減や積み重ね可能枚数の増加を図ることができる。
【００１４】
また、凸条部が過剰に高くならないことで、この凸条部に嵌合する包装用容器の開口部の高さを低く抑えることができ、容器の高さも低くすることができるので、この包装用容器に食品を収容した食品包装体を多数積み上げる場合の積み上げ高さも低く抑えることができる。
【００１５】
また、水平部の内肩部と外肩部がそれぞれテーパー状に形成され、係止部と止め突起のそれぞれの下面側がそれぞれテーパー状に形成され、包装用容器蓋を複数個積み重ねた時に、止め突起のテーパー面が内肩部のテーパー面に、係止部のテーパー面が外肩部のテーパー面に面接触する構成としたので、多数の包装用容器蓋を積み重ねた時に、止め突起のテーパー面が内肩部のテーパー面に、係止部のテーパー面が外肩部のテーパー面に面接触することで水平方向の重ね位置が固定され、高く積み重ねても傾きにくくなる。また、支承する位置が周方向に複数箇所存在することで、荷重が満遍なく水平部にかかり、高く積み重ねても蓋同士が嵌り込まない。
【発明を実施するための最良の形態】
【００１６】
以下、図面を参照して本発明の実施形態を説明する。
図１〜４は、本発明に係る包装用容器蓋（以下、蓋と記す。）の一実施形態を示し、図１は蓋１の一部破断斜視図、図２は蓋１の平面図、図３は蓋１の凸条部３の断面図、図４は複数の蓋１を積み重ねた状態での凸条部３の断面図である。これらの図中、符号１は蓋、２は天面部、３は凸条部、４は立上部、５は水平部、６は垂下部、７はフランジ部、８は止め突起、９は係止部、１１は内肩部、１２は外肩部である。
【００１７】
本実施形態の蓋１は、包装用容器に被せた時に天面部２が包装用容器の開口上端よりも低い位置になる構造の蓋１であって、天面部２の周縁から立設された立上部４と、立上部４の先端から径方向外側に向けて水平に延出された水平部５と、水平部５の先端から下方向に向けて延出された垂下部６と、垂下部６の先端から径方向外方に向けて延出されたフランジ部７とからなる断面逆Ｕ字状の凸状部３が天面部２周縁に設けられている。
【００１８】
前記垂下部６の周方向複数箇所には、径方向内側に突出した係止部９が設けられ、また前記立上部４の周方向複数箇所には、径方向外側に突出した止め突起８が設けられている。これらの係止部９と止め突起８は、互いに対面しない位置に配置されている。さらに、これらの係止部９と止め突起８は、前記天面部２よりも上方側であって、同じ高さに設けられている。
【００１９】
本実施形態の蓋１は、合成樹脂シートを成形して作製され、材料の合成樹脂としては、ポリエチレンテレフタレート（ＰＥＴ）系樹脂、ポリエチレン系樹脂、ポリスチレン系樹脂、ポリプロピレン系樹脂などの熱可塑性樹脂が挙げられる。また、この合成樹脂シートの厚さは限定されないが、一般には０．１５ｍｍ〜０．５ｍｍ程度である。
【００２０】
本実施形態の蓋１は、平面視円形状になっているが、この蓋１の形状はこれに限定されず、楕円形、長円形、角を丸めた四角形などの多角形などとすることができ、通常は円形、角を丸めた四角形などとされる。
【００２１】
前記凸条部３の大きさについても特に限定されないが、例えば、直径が１００ｍｍ程度の蓋１の場合、凸条部３の水平部５の幅が４ｍｍ〜１０ｍｍ程度、立上部４と垂下部６の高さが４ｍｍ〜１０ｍｍ程度とされる。本発明の蓋１は、比較的薄い蓋において、多数積み重ねた際の凸条部３の嵌り込み防止や積み重ね状態の安定性を向上する効果が特に優れている。
【００２２】
前記立上部４に設けた止め突起８は、立上部４の全周に２箇所以上、好ましくは４箇所以上、さらに好ましくは６箇所以上とする。止め突起８の立上部４からの突出長さは０．１ｍｍ〜１．０ｍｍ程度が好ましい。
【００２３】
前記垂下部６に設けた係止部９は、垂下部６の全周に２箇所以上、好ましくは４箇所以上、さらに好ましくは６箇所以上とする。係止部９の垂下部６からの突出長さは０．２ｍｍ〜１．０ｍｍ程度が好ましい。
【００２４】
前記水平部５の内肩部１１と外肩部１２は、それぞれテーパー状に形成されているとともに、係止部９と止め突起８のそれぞれの下面側もそれぞれテーパー状に形成されている。これによって、図４に示すように、多数の蓋１を積み重ねた時に、止め突起８のテーパー面が内肩部１１のテーパー面に、係止部９のテーパー面が外肩部１２のテーパー面に面接触するようになっている。これらのテーパー面の傾斜角度は、水平面に対して３０〜６０度の範囲が好ましい。また、内肩部１１と外肩部１２のテーパー面の幅は、水平部の幅（内肩部と外肩部にテーパーを設けない時の幅）のそれぞれ１０％〜４０％程度が好ましい。
【００２５】
本実施形態の蓋１は、垂下部６の周方向複数箇所に、径方向内側に突出した係止部９を設け、立上部４の周方向複数箇所に、径方向外側に突出した止め突起８を設け、係止部９と止め突起８とを互いに対面しない位置に配置し、係止部９と止め突起８を天面部２よりも上方側の同じ高さに設けた構成としたので、図４に示すように多数の蓋１を積み重ねた時に、止め突起８と係止部９が下にある蓋１の水平部５の内肩部１１に当接して支承するので、積み重ね状態での安定性が向上し、積み重ね高さを高くしても傾かず、倒れにくくなる。
【００２６】
また、前記構成としたことで、多数の蓋１を積み重ねて上からの荷重が加わっても、凸条部３が下側の蓋の凸条部３に嵌り込み難くなり、多数の蓋１を積み重ねても、上方からの吸引によって一個ずつ確実に吸着して使用でき、食品包装体の製造において蓋１の供給不良等のトラブルを減らすことができる。
【００２７】
また、アンダーカットとなる止め突起８と係止部９が対面しない配置としたので、蓋１の成形時に型抜きが容易となり、生産し易いものとなる。
また、係止部９と止め突起８を天面部２よりも上方側の同じ高さに設けた構成としたので、特許文献１に記載の蓋のように凸条部の高さを過剰に高くしなくても、凸条部の嵌り込み防止を達成できるので、背の低い蓋１を作製でき、使用樹脂の削減や積み重ね可能枚数の増加を図ることができる。
【００２８】
また、凸条部３が過剰に高くならないことで、この凸条部３に嵌合する包装用容器の開口部の高さを低く抑えることができ、容器の高さも低くすることができるので、この包装用容器に食品を収容した食品包装体を多数積み上げる場合の積み上げ高さも低く抑えることができる。
【００２９】
また、水平部５の内肩部１１と外肩部１２をそれぞれテーパー状に形成し、また係止部９と止め突起８のそれぞれの下面側をそれぞれテーパー状に形成し、蓋１を複数積み重ねた時に、止め突起８のテーパー面が内肩部１１のテーパー面に、係止部９のテーパー面が外肩部１２のテーパー面に面接触する構成としたので、多数の蓋１を積み重ねた時に、止め突起８のテーパー面が内肩部１１のテーパー面に、係止部９のテーパー面が外肩部１２のテーパー面に面接触することで水平方向の重ね位置が固定され、高く積み重ねても傾きにくくなる。また、支承する位置が周方向に複数箇所存在することで、荷重が満遍なく水平部５にかかり、高く積み重ねても蓋同士が嵌り込まない。
【００３０】
図５は、本発明に係る包装用容器の一実施形態を示す断面図である。この包装用容器１０は、底部１４とその周縁から筒状に立設された側壁部１５と該側壁部１５の先端に設けられたフランジ１６とを備えた容器本体１３と、該容器本体１３の開口を塞いで装着された前記蓋１とを備えて構成されている。
【００３１】
この容器本体１３は、合成樹脂シートを成形して作製され、材料の合成樹脂としては、ポリエチレンテレフタレート（ＰＥＴ）系樹脂、ポリエチレン系樹脂、ポリスチレン系樹脂、ポリプロピレン系樹脂などの熱可塑性樹脂が挙げられ、これらの樹脂に酸化チタンやタルク等の無機充填剤を含有させた樹脂組成物も使用できる。また、この合成樹脂シートは、非発泡シート或いは発泡シートのいずれであってもよく、その厚さは限定されないが、一般には０．２５ｍｍ〜２ｍｍ程度である。
【００３２】
この容器本体１３の平面形状は、前述した蓋１と同じく円形になっている。この容器本体１３の平面形状は円形に限定されることなく、楕円形、長円形、角を丸めた四角形などの多角形などとすることができ、通常は円形、角を丸めた四角形などとされる。また、容器本体１３の高さ及び口径は限定されない。
【００３３】
この側壁部１５の先端は、断面逆Ｊ字状に折り返され、その先端が水平に演出してフランジ１６が設けられている。このフランジ１６は、蓋１を被せて上から押圧した時に、蓋１の係止部９を乗り越えて凸状部３内に嵌り込み、フランジ１６先端は垂下部３の内壁面に当接するようになっている。
【００３４】
本実施形態の包装用容器１０は、容器本体１３の開口に前述した蓋１を被せ、容器本体１３側のフランジ１６を蓋１の凸条部３内に嵌め込んで装着してなり、この装着時には蓋１の天面部２が容器本体１３の開口上端よりも下方に位置するようになっている。このような構造とすることで、持ち運び時に刻み葱などの収容した食品が容器内で踊らないように押さえ込むことができる。また、蓋１の天面部２が容器本体１３の開口上端よりも下方に位置するとともに、容器本体１の高さを低くすることができるので、陳列時に食品包装体を高く積み重ねることができる。
【００３５】
図６は、本発明に係る包装用容器の他の実施形態を示す断面図である。本実施形態の包装用容器１７は、容器本体の先端部に、蓋１の凸条部３に嵌り込む断面逆Ｕ字状をなす嵌合部１８を設けた以外は、前述した図５に示す包装用容器１０と同様に構成されている。
【００３６】
この嵌合部１８は、容器本体に蓋１を装着する際、内側に向けて弾性変形することで蓋１の係止部９を乗り越えて凸条部３内に嵌り込むようになっている。この嵌合部１８は、蓋１を装着した状態において、凸条部３の内面側と嵌合部１８の外面側とが比較的広い領域で面接触することにより、包装用容器の強度が高められ、また容器内の気密性を高めることができる。
【００３７】
また、本発明は、前述した本発明に係る包装用容器１０，１７を用い、容器本体１３内に食品を収容し、容器本体１３の開口に蓋１を被せて包装した食品包装体もまた提供する。本発明の食品包装体は、前述した本発明に係る包装用容器１０，１７を用いたことによって、持ち運び時に刻み葱などの収容した食品が容器内で踊らないように押さえ込むことができる。また、蓋１の天面部２が容器本体１３の開口上端よりも下方に位置するとともに、容器本体１の高さを低くすることができるので、陳列時に食品包装体を高く積み重ねることができる。
【図面の簡単な説明】
【００３８】
【図１】本発明に係る蓋の一実施形態を示す一部破断した斜視図である。
【図２】同じ蓋の平面図である。
【図３】同じ蓋の凸条部の断面図である。
【図４】多数の蓋を積み重ねた状態の凸条部の断面図である。
【図５】本発明に係る包装用容器の一実施形態を示す要部断面図である。
【図６】本発明に係る包装用容器の他の実施形態を示す要部断面図である。
【符号の説明】
【００３９】
１…蓋（包装用容器蓋）、２…天板部、３…凸条部、４…立上部、５…水平部、６…垂下部、７…フランジ部、８…止め突起、９…係止部、１０，１７…包装用容器、１１…内肩部、１２…外肩部、１３…容器本体、１４…底部、１５…側壁部、１６…フランジ、１８…嵌合部。
【図１】
2006160349.tif 000003
【図２】
2006160349.tif 000004
【図３】
2006160349.tif 000005
【図４】
2006160349.tif 000006
【図５】
2006160349.tif 000007
【図６】
2006160349.tif 000008